(57)【要約】【課題】社員と内線番号との対応関係が変更されるような場合でも、最新の対応関係を用いた内線電話帳機能を容易に提供する。【解決手段】人事サーバ３０とデータ通信を行うデータ通信部１６を設け、内線電話端末２１から送信された内線番号検索要求に応じて、データ通信部１６を介して人事サーバ３０にアクセスし、当該人事サーバ３０内の人事ＤＢ３１から、当該内線番号検索要求で指定された社員特定情報に対応する内線番号を検索して当該内線電話端末２１へ通知する。【選択図】  図１
2010081230.tif 000002
【特許請求の範囲】
【請求項１】
収容している内線電話端末による通信ネットワークを介した外線通話を制御するとともに、前記内線電話端末間の内線通話を制御する電話制御装置であって、
前記内線電話端末を使用する社員を特定する社員特定情報と、当該社員が使用する前記内線電話端末の内線番号との対応関係を含む人事情報が格納されている人事データベースを有する人事サーバとデータ通信を行うデータ通信部と、
前記内線電話端末から送信された内線番号検索要求に応じて、前記データ通信部を介して前記人事サーバにアクセスし、当該人事サーバ内の前記人事データベースから、当該内線番号検索要求で指定された社員特定情報に対応する内線番号を検索して当該内線電話端末へ通知する内線番号検索部と
を備えることを特徴とする電話制御装置。
【請求項２】
請求項１に記載の電話制御装置において、
前記データ通信部を介して前記人事サーバにアクセスし、当該人事サーバ内の前記人事データベースをダウンロードして記憶部へ保存するデータベース取得部をさらに備え、
前記内線番号検索部は、前記内線番号を検索する際、前記人事サーバ内の前記人事データベースに代えて、前記記憶部内の前記人事データベースから、前記社員特定情報に対応する内線番号を検索する
ことを特徴とする電話制御装置。
【請求項３】
収容している内線電話端末による通信ネットワークを介した外線通話を制御するとともに、前記内線電話端末間の内線通話を制御する電話制御装置で用いられる内線番号検索方法であって、
前記内線電話端末を使用する社員を特定する社員特定情報と、当該社員が使用する前記内線電話端末の内線番号との対応関係を含む人事情報が格納されている人事データベースを有する人事サーバとデータ通信を行うデータ通信ステップと、
前記内線電話端末から送信された内線番号検索要求に応じて、前記データ通信部を介して前記人事サーバにアクセスし、当該人事サーバ内の前記人事データベースから、当該内線番号検索要求で指定された社員特定情報に対応する内線番号を検索して当該内線電話端末へ通知する内線番号検索ステップと
を備えることを特徴とする内線番号検索方法。
【請求項４】
請求項３に記載の内線番号検索方法において、
前記データ通信部を介して前記人事サーバにアクセスし、当該人事サーバ内の前記人事データベースをダウンロードして記憶部へ保存するデータベース取得ステップをさらに備え、
前記内線番号検索ステップは、前記内線番号を検索する際、前記人事サーバ内の前記人事データベースに代えて、前記記憶部内の前記人事データベースから、前記社員特定情報に対応する内線番号を検索する
ことを特徴とする内線番号検索方法。
【発明の詳細な説明】
【技術分野】
【０００１】
本発明は、電話制御技術に関し、特に電話制御装置に収容している内線電話端末で利用する内線電話帳機能を実現するための技術に関する。
【背景技術】
【０００２】
一般に、ボタン電話装置の主装置、ＰＢＸ、ＩＰ電話サーバなどの電話制御装置では、当該電話制御装置に収容されている内線電話端末で利用する内線電話帳機能を有している。内線電話帳機能とは、内線電話端末を利用する相手先の電話番号とその名前やメールアドレスなどの相手先情報との組からなる電話帳情報を内線電話帳データベース（以下、内線電話帳ＤＢという）に登録して内線発信時や内線呼び出し時に利用する機能である。
【０００３】
電話制御装置の多くはオフィスで使用されており、社内の各部署に設置された内線電話端末を収容している。このような設置環境において、ある社員Ａが他の社員Ｂに内線発信する場合、電話制御装置は、社員Ａの内線電話端末で入力された社員Ｂの名前と組をなす内線番号（内線電話番号）を内線電話帳ＤＢから検索し、その内線番号を用いて内線発信処理する。また、内線呼び出し時には、当該発信者である社員Ａの内線番号と組をなす名前を内線電話帳ＤＢから検索し、その名前を用いて社員Ｂの内線電話端末で内線着信表示を行う。
【０００４】
従来、このような電話制御装置に登録された内線電話帳ＤＢを更新する際、各内線電話端末から内線電話帳ＤＢへ電話帳情報を登録する技術が提案されている（例えば、特許文献１など参照）。具体的には、内線電話端末でオフフックした後に特番ダイヤル操作を行い、その後に当該内線電話端末から検索用回線番号とその利用者名を入力する。電話制御装置は、特番ダイヤル操作に続く検索用回線番号とその利用者名を取得し、当該内線番号に対応する検索用回線番号および利用者名として内線電話帳ＤＢへ登録する。
【０００５】
【特許文献１】特開平９−６４９７８号公報
【発明の開示】
【発明が解決しようとする課題】
【０００６】
電話制御装置がオフィスで使用されており、社内の各部署に設置された内線電話端末を収容しているような設置環境では、社内での組織変更、人事異動、あるいはオフィスレイアウトの変更などの要因で、社員と内線番号との対応関係が変更されるため、内線電話帳ＤＢの更新が必要となる場合がある。
このような場合、従来技術を適用して電話制御装置の内線電話帳ＤＢを更新することは可能であるが、内線電話端末を利用する各利用者、あるいは設置作業者が、各内線電話端末で登録操作を行う必要があり、極めて大きな作業負担が発生するという問題点があった。
【０００７】
本発明はこのような課題を解決するためのものであり、社員と内線番号との対応関係が変更されるような場合でも、最新の対応関係を用いた内線電話帳機能を容易に提供できる電話制御装置および内線番号検索方法を提供することを目的としている。
【課題を解決するための手段】
【０００８】
このような目的を達成するために、本発明にかかる電話制御装置は、収容している内線電話端末による通信ネットワークを介した外線通話を制御するとともに、内線電話端末間の内線通話を制御する電話制御装置であって、内線電話端末を使用する社員を特定する社員特定情報と、当該社員が使用する内線電話端末の内線番号との対応関係を含む人事情報が格納されている人事データベースを有する人事サーバとデータ通信を行うデータ通信部と、内線電話端末から送信された内線番号検索要求に応じて、データ通信部を介して人事サーバにアクセスし、当該人事サーバ内の人事データベースから、当該内線番号検索要求で指定された社員特定情報に対応する内線番号を検索して当該内線電話端末へ通知する内線番号検索部とを備えている。
【０００９】
この際、データ通信部を介して人事サーバにアクセスし、当該人事サーバ内の人事データベースをダウンロードして記憶部へ保存するデータベース取得部をさらに備え、内線番号検索部は、内線番号を検索する際、人事サーバ内の人事データベースに代えて、記憶部内の人事データベースから、社員特定情報に対応する内線番号を検索するようにしてもよい。
【００１０】
また本発明のかかる内線番号検索方法は、収容している内線電話端末による通信ネットワークを介した外線通話を制御するとともに、内線電話端末間の内線通話を制御する電話制御装置で用いられる内線番号検索方法であって、内線電話端末を使用する社員を特定する社員特定情報と、当該社員が使用する内線電話端末の内線番号との対応関係を含む人事情報が格納されている人事データベースを有する人事サーバとデータ通信を行うデータ通信ステップと、内線電話端末から送信された内線番号検索要求に応じて、データ通信部を介して人事サーバにアクセスし、当該人事サーバ内の人事データベースから、当該内線番号検索要求で指定された社員特定情報に対応する内線番号を検索して当該内線電話端末へ通知する内線番号検索ステップとを備えている。
【００１１】
この際、データ通信部を介して人事サーバにアクセスし、当該人事サーバ内の人事データベースをダウンロードして記憶部へ保存するデータベース取得ステップをさらに備え、内線番号検索ステップは、内線番号を検索する際、人事サーバ内の人事データベースに代えて、記憶部内の人事データベースから、社員特定情報に対応する内線番号を検索するようにしてもよい。
【発明の効果】
【００１２】
本発明によれば、人事ＤＢに登録されている最新の人事情報に基づいて内線番号を検索することが可能となる。したがって、社内での組織変更、人事異動、あるいはオフィスレイアウトの変更などの要因で、社員と内線番号との対応関係が変更された場合でも、最新の対応関係を用いた内線電話帳機能を容易に提供することが可能となる。
【発明を実施するための最良の形態】
【００１３】
次に、本発明の実施の形態について図面を参照して説明する。
［第１の実施の形態］
まず、図１を参照して、本発明の第１の実施の形態にかかる電話制御装置について説明する。図１は、本発明の第１の実施の形態にかかる電話制御装置の構成を示すブロック図である。
【００１４】
この電話制御装置１０は、ボタン電話装置の主装置、ＰＢＸ、あるいはＩＰ電話サーバなどの電話制御装置からなり、インターネットなどの通信ネットワーク５０に接続して、内線収容する内線電話端末２０（２１，２２，…，２ｎ）による通信ネットワーク５０を介した外線通話や、内線電話端末２０同士の内線通話を制御する。
本発明では、電話制御装置１０がオフィスで使用されており、社内の各部署に設置された内線電話端末を収容している場合を前提とする。
【００１５】
内線電話端末２０は、内線回線を介して電話制御装置１０に収容されている一般的な電話装置である。内線回線としては、有線回線であってもよく無線回線であってもよい。
人事データベース（以下、人事ＤＢという）３１は、電話制御装置１０が設置されているオフィスで働く各社員に関する人事情報が格納されているデータベースであり、人事サーバ３０で管理されている。
【００１６】
本実施の形態は、内線電話端末２０を使用する社員を特定する社員特定情報と、当該社員が使用する内線電話端末２０の内線番号との対応関係を含む人事情報が格納されている人事ＤＢ３１を有する人事サーバ３０とデータ通信を行うデータ通信部を設け、内線電話端末２０から送信された内線番号検索要求に応じて、データ通信部を介して人事サーバ３０にアクセスし、当該人事サーバ３０内の人事ＤＢ３１から、当該内線番号検索要求で指定された社員特定情報に対応する内線番号を検索して当該内線電話端末２０へ通知する場合について説明する。
【００１７】
図１に示すように、電話制御装置１０には、主な機能部として、回線インターフェース部（以下、回線Ｉ／Ｆ部という）１１、スイッチ部１２、端末インターフェース部（以下、端末Ｉ／Ｆ部という）１３、記憶部１４、制御部１５、およびデータ通信部１６が設けられている。
【００１８】
回線Ｉ／Ｆ部１１は、専用の通信回路からなり、制御部１５からの指示に基づいて通信ネットワーク５０との間でデータ通信を行う機能を有している。
スイッチ部１２は、専用のスイッチング回路からなり、回線Ｉ／Ｆ部１１で送受信する音声データのパスと端末Ｉ／Ｆ部１３で送受信する音声データのパスとを、制御部１５の制御に基づいて交換接続する機能を有している。
端末Ｉ／Ｆ部１３は、専用の通信回路からなり、制御部１５からの指示に基づいて内線電話端末２０（２１，２２，…，２ｎ）との間でデータ通信を行う機能を有している。
【００１９】
記憶部１４は、ハードディスクやメモリなどの記憶装置からなり、制御部１５での処理動作に用いる各種処理情報やプログラム１４Ｐを記憶する機能を有している。
プログラム１４Ｐは、制御部１５に読み出されて実行されることにより、各種処理部を実現するプログラムであり、予め外部装置や記録媒体（図示せず）から読み込まれて記憶部１４に保存される。
記憶部１４で記憶される主な処理情報としては、呼制御情報１４Ａがある。呼制御情報１４Ａは、内線電話端末２０の発信、着信、通話などの電話機能に関する制御部１５での呼制御に用いる情報からなり、各内線電話端末２０の状態や通信ネットワーク５０の回線の状態などを示す情報からなる。
【００２０】
制御部１５は、ＣＰＵなどのマイクロプロセッサとその周辺回路を有し、記憶部１４のプログラム１４Ｐを読み込んで実行することにより、電話制御装置１０の処理動作に必要な各種処理部を実現する機能を有している。
制御部１５で実現される主な処理部としては、呼制御部１５Ａおよび内線番号検索部１５Ｂがある。
【００２１】
呼制御部１５Ａは、回線Ｉ／Ｆ部１１を介して通信ネットワーク５０と呼制御メッセージをやり取りするとともに、端末Ｉ／Ｆ部１３を介して内線電話端末２０と制御メッセージをやり取りすることにより、内線電話端末２０の発信、着信、通話などの電話機能に関する呼制御を行う機能を有している。
【００２２】
内線番号検索部１５Ｂ（内線電話帳機能）は、内線電話端末２０から送信された内線番号検索要求に応じて、データ通信部を介して人事サーバ３０にアクセスし、当該人事サーバ３０内の人事ＤＢ３１から、当該内線番号検索要求で指定された社員特定情報に対応する内線番号を検索する機能と、検索した当該内線電話端末へ通知する機能とを有している。
【００２３】
図２は、人事ＤＢの構成例である。ここでは、各社員を識別するための「社員番号」と、当該社員の「名前」および「メールアドレス」と、当該社員が所属する「部署」と、当該社員が使用する内線電話端末２０の「内線番号」など、個々の社員に関する人事情報が組としてそれぞれ登録されている。通常、社内での組織変更、人事異動、あるいはオフィスレイアウトの変更などの要因で、社員と内線番号との対応関係が変更された場合、人事ＤＢ３１は、総務や情報管理部などの担当部署で変更される。
【００２４】
本発明では、電話制御装置１０からこのような人事ＤＢ３１にアクセスして、内線番号検索要求で指定された社員特定情報に対応する内線番号を検索することにより、作業負担を発生させることなく、内線電話帳機能で用いる社員と内線番号との対応関係の変更に対応している。したがって、本発明では、社員を特定する「名前」や「メールアドレス」などの社員特定情報と、「内線番号」との対応関係が、人事ＤＢ３１に含まれていればよい。
【００２５】
［第１の実施の形態の動作］
次に、図３を参照して、本発明の第１の実施の形態にかかる電話制御装置の内線番号検索動作について説明する。図３は、第１の実施の形態にかかる電話制御装置の内線番号検索動作を示すシーケンス図である。ここでは、内線電話端末２１を利用する社員Ａが、内線電話帳機能を用いて、内線電話端末２２を利用する社員Ｂの内線番号を検索する場合を例として説明する。
【００２６】
内線電話帳機能を利用して社員Ｂの内線番号を検索する際、社員Ａは、まず内線電話端末２１を操作して、社員Ｂの名前やメールアドレスからなる社員特定情報を入力し、検索要求操作を行う（ステップ１００）。これに応じて、内線電話端末２１は、入力された社員Ｂの社員特定情報を含む内線番号検索要求メッセージを電話制御装置１０へ送信する（ステップ１０１）。
【００２７】
電話制御装置１０の制御部１５は、端末Ｉ／Ｆ部１３を介して内線電話端末２１からの内線番号検索要求メッセージを受信した場合、内線番号検索部１５Ｂにより、当該内線番号検索要求メッセージに含まれる社員Ｂの社員特定情報を抽出し、この社員Ｂの社員特定情報を含む内線番号検索要求メッセージを、データ通信部１６を介して人事サーバ３０へ送信する（ステップ１０２）。
【００２８】
人事サーバ３０は、電話制御装置１０からの内線番号検索要求メッセージに応じて、当該内線番号検索要求メッセージに含まれる社員Ｂの社員特定情報を抽出し、人事ＤＢ３１から当該社員特定情報に対応する内線電話番号を検索する（ステップ１０３）。その後、人事サーバ３０は、検索した社員Ｂの内線番号を含む検索結果メッセージを電話制御装置１０へ返送する（ステップ１０４）。
【００２９】
電話制御装置１０の内線番号検索部１５Ｂは、データ通信部１６を介して受信した人事サーバ３０からの検索結果メッセージに応じて、当該検索結果メッセージに含まれる社員Ｂの内線番号を抽出し、この内線番号を含む検索結果メッセージを、端末Ｉ／Ｆ部１３を介して要求元の内線電話端末２１へ送信する（ステップ１０５）。
内線電話端末２１は、電話制御装置１０からの検索結果メッセージに応じて、当該検索結果メッセージに含まれる社員Ｂの内線番号を抽出し、ＬＣＤなどの画面表示部で表示する（ステップ１０６）。
【００３０】
［第１の実施の形態の効果］
このように、本実施の形態によれば、人事サーバ３０とデータ通信を行うデータ通信部１６を設け、内線電話端末２１から送信された内線番号検索要求に応じて、データ通信部１６を介して人事サーバ３０にアクセスし、当該人事サーバ３０内の人事ＤＢ３１から、当該内線番号検索要求で指定された社員特定情報に対応する内線番号を検索して当該内線電話端末２１へ通知するようにしたので、人事ＤＢ３１に登録されている最新の人事情報に基づいて内線番号を検索することが可能となる。
【００３１】
通常、社内での組織変更、人事異動、あるいはオフィスレイアウトの変更などの要因で、社員と内線番号との対応関係が変更された場合、人事ＤＢ３１は、総務や情報管理部などの担当部署で変更される。したがって、このような人事ＤＢ３１を内線電話帳機能で利用することにより、社員と内線番号との対応関係が変更されるような場合でも、最新の対応関係を用いた内線電話帳機能を容易に提供することが可能となる。
【００３２】
［第２の実施の形態］
次に、図４を参照して、本発明の第２の実施の形態にかかる電話制御装置について説明する。図４は、本発明の第２の実施の形態にかかる電話制御装置の構成を示すブロック図である。
【００３３】
第１の実施の形態では、内線電話端末２０からの内線番号検索要求を受信するごとに、データ通信部１６を介して人事サーバ３０にアクセスし、当該人事サーバ３０内の人事ＤＢ３１から、当該内線番号検索要求で指定された社員特定情報に対応する内線番号を検索する場合について説明した。
本実施の形態では、データ通信部１６を介して人事サーバ３０から人事ＤＢ３１を予めダウンロードして記憶部１４へ保存しておき、内線電話端末２０からの内線番号検索要求を受信するごとに、記憶部１４内の人事ＤＢ１４Ｂから、当該内線番号検索要求で指定された社員特定情報に対応する内線番号を検索する場合について説明する。
【００３４】
本実施の形態にかかる電話制御装置１０には、制御部１５にデータベース取得部（以下、ＤＢ取得部）１５Ｃが設けられている。なお、この他の構成については第１の実施の形態と同様であり、ここでの詳細な説明は省略する。
【００３５】
［第２の実施の形態の動作］
次に、図５を参照して、本発明の第２の実施の形態にかかる電話制御装置の内線番号検索動作について説明する。図５は、第２の実施の形態にかかる電話制御装置の内線番号検索動作を示すシーケンス図である。ここでは、内線電話端末２１を利用する社員Ａが、内線電話帳機能を用いて、内線電話端末２２を利用する社員Ｂの内線番号を検索する場合を例として説明する。
【００３６】
制御部１５のＤＢ取得部１５Ｃは、制御部１５に予め設けられている計時機能（タイマー）により、人事ＤＢ３１の取得タイミングを計時している。取得タイミングについては、１ヶ月ごとなど、人事ＤＢ３１の更新期間に合わせて設定すればよく、人事ＤＢ３１の更新期間より短く設定する必要はない。
取得タイミングが到来した場合（ステップ２００）、ＤＢ取得部１５Ｃは、人事ＤＢ３１のダウンロードを要求する人事ＤＢ取得要求メッセージを、データ通信部１６を介して人事サーバ３０へ送信する（ステップ２０１）。
【００３７】
人事サーバ３０は、電話制御装置１０からの人事ＤＢ取得要求メッセージに応じて、人事ＤＢ３１を含む人事ＤＢ通知メッセージを電話制御装置１０へ返送する（ステップ２０２）。
電話制御装置１０のＤＢ取得部１５Ｃは、データ通信部１６を介して人事サーバ３０からの人事ＤＢ通知メッセージを受信し、当該人事ＤＢ通知メッセージに含まれる人事ＤＢ３１を、記憶部１４内に人事ＤＢ１４Ｂとして保存する（ステップ２０３）。
【００３８】
その後、内線電話帳機能を利用して社員Ｂの内線番号を検索する際、社員Ａは、まず内線電話端末２１を操作して、社員Ｂの名前やメールアドレスからなる社員特定情報を入力し、検索要求操作を行う（ステップ２１０）。これに応じて、内線電話端末２１は、入力された社員Ｂの社員特定情報を含む内線番号検索要求メッセージを電話制御装置１０へ送信する（ステップ２１１）。
【００３９】
電話制御装置１０の制御部１５は、端末Ｉ／Ｆ部１３を介して内線電話端末２１からの内線番号検索要求メッセージを受信した場合、内線番号検索部１５Ｂにより、当該内線番号検索要求メッセージに含まれる社員Ｂの社員特定情報を抽出し、記憶部１４内の人事ＤＢ１４Ｂから当該社員特定情報に対応する内線電話番号を検索する（ステップ２１２）。その後、内線番号検索部１５Ｂは、この内線番号を含む検索結果メッセージを、端末Ｉ／Ｆ部１３を介して要求元の内線電話端末２１へ送信する（ステップ２１３）。
【００４０】
内線電話端末２１は、電話制御装置１０からの検索結果メッセージに応じて、当該検索結果メッセージに含まれる社員Ｂの内線番号を抽出し、ＬＣＤなどの画面表示部で表示する（ステップ２１４）。
【００４１】
［第２の実施の形態の効果］
このように、本実施の形態によれば、予め電話制御装置１０により、人事サーバ３０内の人事ＤＢ３１をダウンロードして記憶部１４へ人事ＤＢ１４Ｂとして保存しておき、内線電話端末２１から送信された内線番号検索要求に応じて、記憶部１４内の人事ＤＢ１４Ｂから、当該内線番号検索要求で指定された社員特定情報に対応する内線番号を検索して当該内線電話端末２１へ通知するようにしたので、内線番号検索要求を受信するごとに、人事サーバ３０へアクセスする必要がなくなる。このため、人事サーバ３０の処理負荷を軽減できるとともに、内線番号検索処理の所要時間を短縮することが可能となる。
【００４２】
［実施の形態の拡張］
以上の説明では、図２に示したように、人事サーバ３０の人事ＤＢ３１に、各社員を特定する社員特定情報と当該社員の内線電話番号が組として登録されている場合を例として説明したが、人事ＤＢ３１の構成についてこれに限定されるものではない。例えば、人事ＤＢ３１が複数のデータベースからなるリレーショナルデータベースにより構築されており、内線番号と部署との対応関係が、社員特定情報とは別個のデータベースに格納されている場合も考えられる。このような場合には、社員特定情報と内線番号とを連結する１つ以上のキーワード、例えば社員の所属部署などを用いて、名前（社員特定情報）→部署→内線番号という順に、所望の内線番号を検索すればよい。
【００４３】
また、第２の実施の形態では、人事サーバ３０の人事ＤＢ３１を電話制御装置１０へダウンロードする場合を例として説明したが、人事ＤＢ３１のすべてをダウンロードする必要はなく、人事ＤＢ３１のうち社員特定情報と内線番号の対応関係だけを抽出して、人事サーバ３０からダウンロードするようにしてもよい。これにより、ダウンロードさらには記憶部１４に保存する人事ＤＢのデータ量を削減でき、ダウンロード処理時間、記憶容量、さらには内線番号検索所要時間を低減できる。
【図面の簡単な説明】
【００４４】
【図１】本発明の第１の実施の形態にかかる電話制御装置の構成を示すブロック図である。
【図２】人事ＤＢの構成例である。
【図３】第１の実施の形態にかかる電話制御装置の内線番号検索動作を示すシーケンス図である。
【図４】本発明の第２の実施の形態にかかる電話制御装置の構成を示すブロック図である。
【図５】第２の実施の形態にかかる電話制御装置の内線番号検索動作を示すシーケンス図である。
【符号の説明】
【００４５】
１０…電話制御装置、１１…回線Ｉ／Ｆ部、１２…スイッチ部、１３…端末Ｉ／Ｆ部、１４…記憶部、１４Ａ…呼制御情報、１４Ｂ…人事ＤＢ、１４Ｐ…プログラム、１５…制御部、１５Ａ…呼制御部、１５Ｂ…内線番号検索部、１５Ｃ…ＤＢ取得部、１６…データ通信部、２０，２１，２２，〜，２ｎ…内線電話端末、３０…人事サーバ、３１…人事ＤＢ、５０…通信ネットワーク。
【図１】
2010081230.tif 000003
【図２】
2010081230.tif 000004
【図３】
2010081230.tif 000005
【図４】
2010081230.tif 000006
【図５】
2010081230.tif 000007